【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
シートを支持するシート支持手段と、
前記シート支持手段に支持されたシートを給送する給送手段と、
前記給送手段によって読取位置に給送されたシートの画像を読み取る読取手段と、
前記給送手段によって給送されたシートを前記読取位置に案内する搬送路を有する本体部と、
シートに当接して移動する第１移動部と、前記第１移動部を検知可能な第１検知部と、を有する第１検知手段と、
シートに当接して移動する第２移動部と、前記第２移動部を検知可能な第２検知部と、を有する第２検知手段と、
前記本体部に着脱可能に支持されると共に、前記第１検知部及び前記第２検知部を支持する支持部材と、を備える、
ことを特徴とする画像読取装置。
【請求項２】
前記第１移動部は、前記本体部に移動可能に支持され、
前記第２移動部は、前記支持部材に移動可能に支持される、
ことを特徴とする請求項１に記載の画像読取装置。
【請求項３】
前記第１移動部は、前記シート支持手段に支持されたシートに当接して移動し、
前記第１検知手段は、前記第１検知部の検知結果に基づいて前記シート支持手段に支持されるシートの有無を検知し、
前記第２移動部は、前記搬送路を搬送されるシートに当接して移動し、
前記第２検知手段は、前記第２検知部の検知結果に基づいて前記搬送路を搬送されるシートを検知する、
ことを特徴とする請求項１又は２に記載の画像読取装置。
【請求項４】
前記支持部材は、第１支持部材であり、
前記搬送路は、Ｕ字状に湾曲して形成され、
前記本体部は、前記第１移動部を移動可能に支持しシート搬送方向における前記搬送路の上流側を構成する第２支持部材と、前記第２支持部材の下方に設けられ、前記シート搬送方向における前記搬送路の下流側を構成するベース部材と、を有し、
前記第１支持部材は、前記ベース部材に着脱可能に支持される、
ことを特徴とする請求項１乃至３のいずれか１項に記載の画像読取装置。
【請求項５】
前記読取手段は、シートの第１面の画像を読み取る第１読取部と、シートの第１面とは反対の第２面の画像を読み取る第２読取部と、を有し、
前記支持部材は、前記第２読取部の上方に配置される、
ことを特徴とする請求項１乃至４のいずれか１項に記載の画像読取装置。
【請求項６】
前記第１移動部及び前記第２移動部は、それぞれ回動可能に支持され、
前記第１検知部及び前記第２検知部は、それぞれフォトセンサである、
ことを特徴とする請求項１乃至５のいずれか１項に記載の画像読取装置。
【請求項７】
シートを支持するシート支持手段と、
前記シート支持手段に支持されたシートを給送する給送手段と、
前記給送手段によって読取位置に給送されたシートの画像を読み取る読取手段と、
前記給送手段によって給送されたシートを前記読取位置に案内する搬送路を有する本体部と、
束線が接続される第１コネクタ部を備え、前記シート支持手段に支持されるシートの有無に関する信号を前記第１コネクタ部から出力する第１検知部と、
束線が接続される第２コネクタ部を備え、前記搬送路を搬送されるシートの位置に関する信号を前記第２コネクタ部から出力する第２検知部と、
前記本体部に着脱可能に支持されると共に、前記第１検知部及び前記第２検知部を支持する支持部材と、を備える、
ことを特徴とする画像読取装置。
【請求項８】
前記シート支持手段に支持されたシートに当接して移動し、前記第１検知部によって検知される第１移動部と、
前記搬送路を搬送されるシートに当接して移動し、前記第２検知部によって検知される第２移動部と、を更に備える、
ことを特徴とする請求項７に記載の画像読取装置。
【請求項９】
前記第１移動部は、前記本体部に移動可能に支持され、
前記第２移動部は、前記支持部材に移動可能に支持される、
ことを特徴とする請求項８に記載の画像読取装置。
【請求項１０】
前記本体部に対して回動されることで、前記搬送路を開放可能な回動部を更に備え、
前記回動部は、前記支持部材を取り外すために前記本体部に対して回動される、
ことを特徴とする請求項１乃至９のいずれか１項に記載の画像読取装置。
【請求項１１】
シートを支持するシート支持手段と、
前記シート支持手段に支持されたシートを給送する給送手段と、
前記給送手段によって読取位置に給送されたシートの画像を読み取る読取手段と、
前記給送手段によって給送されたシートを前記読取位置に案内する搬送路を有する本体部と、
シートに当接して回動する第１フラグと、前記第１フラグを検知可能な第１フォトセンサと、を有する第１検知手段と、
シートに当接して回動する第２フラグと、前記第２フラグを検知可能な第２フォトセンサと、を有する第２検知手段と、
前記第１フォトセンサ、前記第２フォトセンサ及び前記第２フラグを支持する第１支持部材と、
前記第１フラグを支持する第２支持部材と、を備え、
前記第１フラグは、前記シート支持手段に支持されたシートに当接して移動し、
前記第１検知手段は、前記第１フォトセンサの検知結果に基づいて前記シート支持手段に支持されるシートの有無を検知し、
前記第２フラグは、前記搬送路を搬送されるシートに当接して移動し、
前記第２検知手段は、前記第２フォトセンサの検知結果に基づいて前記搬送路を搬送されるシートの位置を検知する、
ことを特徴とする画像読取装置。
【請求項１２】
請求項１乃至１１のいずれか１項に記載の画像読取装置と、
前記画像読取装置によって読取られた画像情報に基づいて、記録媒体に画像を形成する画像形成手段と、を備える、
ことを特徴とする画像形成装置。
【手続補正２】
【補正対象書類名】明細書
【補正対象項目名】０００６
【補正方法】変更
【補正の内容】
【０００６】
本発明は、画像読取装置において、シートを支持するシート支持手段と、前記シート支持手段に支持されたシートを給送する給送手段と、前記給送手段によって読取位置に給送されたシートの画像を読み取る読取手段と、前記給送手段によって給送されたシートを前記読取位置に案内する搬送路を有する本体部と、シートに当接して移動する第１移動部と、前記第１移動部を検知可能な第１検知部と、を有する第１検知手段と、シートに当接して移動する第２移動部と、前記第２移動部を検知可能な第２検知部と、を有する第２検知手段と、前記本体部に着脱可能に支持されると共に、前記第１検知部及び前記第２検知部を支持する支持部材と、を備える、ことを特徴とする。
【手続補正３】
【補正対象書類名】明細書
【補正対象項目名】０００７
【補正方法】変更
【補正の内容】
【０００７】
また、本発明は、画像読取装置において、シートを支持するシート支持手段と、前記シート支持手段に支持されたシートを給送する給送手段と、前記給送手段によって読取位置に給送されたシートの画像を読み取る読取手段と、前記給送手段によって給送されたシートを前記読取位置に案内する搬送路を有する本体部と、束線が接続される第１コネクタ部を備え、前記シート支持手段に支持されるシートの有無に関する信号を前記第１コネクタ部から出力する第１検知部と、束線が接続される第２コネクタ部を備え、前記搬送路を搬送されるシートの位置に関する信号を前記第２コネクタ部から出力する第２検知部と、前記本体部に着脱可能に支持されると共に、前記第１検知部及び前記第２検知部を支持する支持部材と、を備える、ことを特徴とする。
【手続補正４】
【補正対象書類名】明細書
【補正対象項目名】０００８
【補正方法】変更
【補正の内容】
【０００８】
また、本発明は、画像読取装置において、シートを支持するシート支持手段と、前記シート支持手段に支持されたシートを給送する給送手段と、前記給送手段によって読取位置に給送されたシートの画像を読み取る読取手段と、前記給送手段によって給送されたシートを前記読取位置に案内する搬送路を有する本体部と、シートに当接して回動する第１フラグと、前記第１フラグを検知可能な第１フォトセンサと、を有する第１検知手段と、シートに当接して回動する第２フラグと、前記第２フラグを検知可能な第２フォトセンサと、を有する第２検知手段と、前記第１フォトセンサ、前記第２フォトセンサ及び前記第２フラグを支持する第１支持部材と、前記第１フラグを支持する第２支持部材と、を備え、前記第１フラグは、前記シート支持手段に支持されたシートに当接して移動し、前記第１検知手段は、前記第１フォトセンサの検知結果に基づいて前記シート支持手段に支持されるシートの有無を検知し、前記第２フラグは、前記搬送路を搬送されるシートに当接して移動し、前記第２検知手段は、前記第２フォトセンサの検知結果に基づいて前記搬送路を搬送されるシートの位置を検知する、ことを特徴とする。